(57)【要約】【課題】テープ貼りの直進性に優れるとともに、テープの貼り付け状態の確認が直ぐに行えるテープ貼り工具を提供する。【解決手段】巻回養生テープ２を回転自在に保持する本体部１１と、上記本体部１１のテープ貼り方向の前側となる位置に設けられた前方ローラー１２と、上記本体部１１のテープ貼り方向の後ろ側となる位置に設けられ、上記巻回養生テープ２から引き出したテープ２ａを下方に押し付ける後方ローラー１３と、上記本体部１１を移動操作するための持ち手部１４と、を備える。【選択図】図４
2018052677.tif 000002
【特許請求の範囲】
【請求項１】
巻回テープを回転自在に保持する本体部と、上記本体部のテープ貼り方向の前側となる位置に設けられた前方ローラーと、上記本体部のテープ貼り方向の後ろ側となる位置に設けられ、上記巻回テープから引き出したテープを下方に押し付ける後方ローラーと、上記本体部を移動操作するための持ち手部と、を備えることを特徴とするテープ貼り工具。
【請求項２】
請求項１に記載のテープ貼り工具において、上記持ち手部が上記前方ローラーと上記後方ローラーとの中間位置よりも上記後方ローラーに近い側に連結されることを特徴とするテープ貼り工具。
【請求項３】
請求項２に記載のテープ貼り工具において、上記持ち手部の先端側には棒状部が形成されており、この棒状部が上記後方ローラーの回転用軸内に挿入されることを特徴とするテープ貼り工具。
【請求項４】
請求項１〜請求項３のいずれか１項に記載のテープ貼り工具において、上記持ち手部には延長持ち手部を取り付けるための接続部が設けられていることを特徴とするテープ貼り工具。
【請求項５】
請求項１〜請求項４のいずれか１項に記載のテープ貼り工具において、上記巻回テープが、上記前方ローラーと上記後方ローラーとの間の位置に設けられることを特徴とするテープ貼り工具。
【請求項６】
請求項１〜請求項５のいずれか１項に記載のテープ貼り工具において、上記前方ローラーには、その回転状態においてテープ貼りの位置の中心を示すマーク部が設けられていることを特徴とするテープ貼り工具。
【請求項７】
請求項１〜請求項６のいずれか１項に記載のテープ貼り工具において、上記本体部の移動を、既設の構造部材に接触させてガイドするガイド部材を備えることを特徴とするテープ貼り工具。
【発明の詳細な説明】
【技術分野】
【０００１】
この発明は、舗装路面等に養生テープ等を貼り付けるためのテープ貼り工具に関する。
【背景技術】
【０００２】
特許文献１には、長手形状の把持部と、当該把持部の先端から二股に分かれて形成されるコ字状のフレームと、該フレームの中間部に架設されロール状に巻いた養生テープを外挿する回転体と、上記フレームの先端部に回転自在に固定され、上記養生テープの引き出し部分の粘着していない面を押さえて、養生テープを床面に貼り付ける押さえローラーと、上記押さえローラーに上記養生テープの引出し部分を案内する案内片と、を備える床養生テープ貼り工具が開示されている。
【先行技術文献】
【特許文献】
【０００３】
【特許文献１】特開２０１０−１４３６７１号公報
【発明の概要】
【発明が解決しようとする課題】
【０００４】
しかしながら、上記床養生テープ貼り工具では、その進行方向の操作が押さえローラーの操作によって容易に行えるものの、わずかな力加減で上記押さえローラーの向きが変化してしまうために、直進性に劣るという欠点があった。また、養生テープの前方に上記押さえローラーが位置するため、養生テープの貼り付け状態が直ちには見え難いという欠点もあった。
【０００５】
この発明は、上記の事情に鑑み、テープ貼りの直進性に優れるとともに、テープの貼り付け状態の確認が直ぐに行えるテープ貼り工具を提供することを課題とする。
【課題を解決するための手段】
【０００６】
この発明のテープ貼り工具は、上記の課題を解決するために、巻回テープを回転自在に保持する本体部と、上記本体部のテープ貼り方向の前側となる位置に設けられた前方ローラーと、上記本体部のテープ貼り方向の後ろ側となる位置に設けられ、上記巻回テープから引き出したテープを下方に押し付ける後方ローラーと、上記本体部を移動操作するための持ち手部と、を備えることを特徴とする。
【０００７】
上記の構成であれば、上記前方ローラーおよび上記後方ローラーを備えたので、テープ貼りの直進性に優れたものとなる。また、上記巻回テープから引き出したテープを上記後方ローラーによって下方に押し付けるので、上記後方ローラーの直ぐ後ろの箇所で、テープの貼り付け状態の確認が直ぐに行えるようになる。
【０００８】
上記持ち手部が上記前方ローラーと上記後方ローラーとの中間位置よりも上記後方ローラーに近い側に連結されてもよい。これによれば、上記持ち手部を上記前方ローラーの近くに連結させる場合に比べて、上記後方ローラーを下方に押す力が得易くなる。
【０００９】
上記持ち手部の先端側には棒状部が形成されており、この棒状部が上記後方ローラーの回転用軸内に挿入されてもよい。これによれば、上記後方ローラーを下方に押す力を上記持ち手部で直接的に生じさせることができるので、上記テープを強く下方に押し付けることが容易になる。
【００１０】
上記持ち手部には延長持ち手部を取り付けるための接続部が設けられていてもよい。これによれば、当該テープ貼り工具を用いる態様に応じて作業者に負担のない姿勢を採らせることが可能になる。
【００１１】
上記巻回テープが、上記前方ローラーと上記後方ローラーとの間の位置に設けられていてもよい。これによれば、当該テープ貼り工具の操作状態において、上記後方ローラーによるテープの貼り付け状態を確認し易いとともに、当該テープ貼り工具の進行方向の確認も行い易くなる。
【００１２】
上記前方ローラーには、その回転状態においてテープの貼り位置の中心を示すマーク部が設けられていてもよい。これによれば、貼られるテープの中心を示すものとして例えば舗装路面上に引かれたラインに上記前方ローラーのマーク部を合わせながら上記本体部を移動させることにより、的確にテープを貼り付けていくことができるようになる。
【００１３】
上記本体部の移動を、既設の構造部材に接触させてガイドするガイド部材を備えてもよい。これによれば、既設の構造部材に沿わせてテープを貼ることが容易になる。
【発明の効果】
【００１４】
本発明であれば、テープ貼りの直進性に優れるとともに、テープの貼り付け状態の確認が直ぐに行えるという効果を奏する。
【図面の簡単な説明】
【００１５】
【図１】本発明の一実施形態に係るテープ貼り工具を示した斜視図である。
【図２】同図（Ａ）は、図１のテープ貼り工具を示した平面図であり、同図（Ｂ）は、同側面図である。
【図３】図１のテープ貼り工具（延長持ち手部装着状態）を示した斜視図である。
【図４】図３のテープ貼り工具によるテープ貼りを示した斜視図である。
【発明を実施するための形態】
【００１６】
以下、この発明の実施の形態を添付図面に基づいて説明する。
図１、図２（Ａ）および図２（Ｂ）に示しているように、この実施形態のテープ貼り工具１は、巻回養生テープ２を回転自在に保持する保持部１０を有した本体部１１と、上記本体部１１のテープ貼り方向の前側となる位置に設けられた前方ローラー１２と、上記本体部１１のテープ貼り方向の後ろ側となる位置に設けられた後方ローラー１３と、上記本体部１１を移動操作するための持ち手部１４と、を備える。
【００１７】
上記本体部１１は、上記前方ローラー１２と後方ローラー１３との中間側が高くされた略山形状の金属製のフレームからなり、このフレームの側面となる三角状の側板１１ａ間において空間を形成したものとなっている。なお、上記側板１１ａはその下縁部に形成された横板部により互いに連結固定されている。上記側板１１ａの頂部には、上記保持部１０が係合される係合部１１ｂが形成されている。この係合部１１ｂは、前方ローラー１２の側から横方向に切り欠かれた横部位と、この横部位から下方向に切り欠かれた縦部位とからなる。また、上記保持部１０は、上記側板１１ａ間の幅よりも狭い幅の円筒状本体部と、その側面円板部の中心位置において上記側板１１ａを超えて突出する突出軸部１０ａとを有しており、上記円筒状本体部を上記空間に位置させた状態で、上記突出軸部１０ａを上記係合部１１ｂに係合させるように取り付けられる。
【００１８】
上記係合部１１ｂは、上記前方ローラー１２と後方ローラー１３との略中間の高くされた箇所に形成されている。上記巻回養生テープ２を保持する上記保持部１０は、上記係合部１１ｂに着脱自在に設けられる。上記係合部１１ｂに装着された上記巻回養生テープ２は、上記前方ローラー１２と上記後方ローラー１３との略中間に位置する。また、上記係合部１１ｂに装着された上記巻回養生テープ２から剥がされたテープ２ａは後方側に引かれるため、テープ貼り作業時に上記突出軸部１０ａが上記係合部１１ｂから外れるようなことはない。
【００１９】
上記側板１１ａ間であって上記本体部１１の前側となる位置には、回転用軸１２ａが設けられている。上記回転用軸１２ａによって、上記前方ローラー１２が回転するが、上記回転用軸１２ａは、それ自体が回転してもよいし、或いは、それ自体は回転しない固定軸であってもよい。また、上記前方ローラー１２の幅は、上記側板１１ａ間の幅よりも狭くされている。
【００２０】
上記側板１１ａ間であって上記本体部１１の後ろ側の位置には、上記回転用軸１２ａと平行に回転用軸１３ａが設けられている。上記回転用軸１３ａによって、上記後方ローラー１３が回転するが、上記回転用軸１３ａは、それ自体が回転してもよいし、或いは、それ自体は回転しない固定軸であってもよい。また、上記後方ローラー１３の幅は、上記側板１１ａ間の幅よりも狭くされている。
【００２１】
上記前方ローラー１２は、例えば、ウレタンからなっている。また、上記前方ローラー１２は、左右に均等に２分割されており、ローラー中央に凹溝状部１２ｂが形成されたものとなっている。この凹溝状部１２ｂは、上記前方ローラー１２の回転状態において上記養生テープ２ａの貼り位置の中心を示すマーク部（以下、マーク部１２ｂと表記する。）をなす。マーク部１２ｂは、上記凹溝状部に限るものではないが、このような凹溝状部とすることで、長期使用による上記前方ローラー１２の擦り減りに対しても、上記マーク部１２ｂが消失し難いようになっている。
【００２２】
上記後方ローラー１３は、例えば、ウレタンからなっている。また、上記本体部１１の底部には開口部が形成されており、上記巻回養生テープ２から剥がしたテープ２ａ(粘着面は進行方向ないし下方に向く)を上記開口部に通し、上記後方ローラー１３の下側に位置させるようになっている。
【００２３】
上記２枚の側板１１ａのうちの一方の側板１１ａの下辺縦面部には、上記本体部１１の移動を、既設の構造部材（舗装路の縁石ブロック等）に接触させてガイドするガイド部材１５が設けられている。このガイド部材１５は、例えば、上記下辺縦面部に設けられたボルト・ナット１５ａを利用して水平軸回りに回動するとともに、回動姿勢を保持できるようになっている。ガイド不要時には、上記ガイド部材１５は、上記ローラー１２，１３の接地点より上に上げられ、ガイド要時には、上記ガイド部材１５は、上記ローラー１２，１３の接地点より下に出るように回動される。
【００２４】
上記持ち手部１４の先端側には上記本体部１１の移動方向に直交する棒状部１４ａが形成されている。上記回転用軸１３ａは、筒状に形成されており、上記棒状部１４ａを上記回転用軸１３ａ内に挿入できるようになっている。この挿入状態において、例えば、上記棒状部１４ａの先端螺子部にナットが螺合されると、上記棒状部１４ａの離脱が阻止される。
【００２５】
また、図３に示すように、上記棒状部１４ａを上記回転用軸１３ａ内で回動させることが可能であり、この回動によって上記持ち手部１４の上げ下げが行えることになる。上記棒状部１４ａは、曲げ軸部１４ｂを介して当該持ち手部１４の本体部１４ｃに連結されている。この本体部１４ｃの軸方向の延長線上に上記本体部１１の幅方向中心が位置する。
【００２６】
また、上記曲げ軸部１４ｂは、上記ガイド部材１５によるガイドの妨げにならないように、上記ガイド部材１５が設けられる側とは反対の側に位置される。なお、上記ガイド部材１５を、反対位置に付け替え可能にするか、或いは両側に取り付けるとともに、上記持ち手部１４を、上記棒状部１４ａの左右付け替えが可能なように設けてもよい。
【００２７】
上記持ち手部１４の本体部１４ｃの他端部には、雌螺子部（接続部）が形成されている。そして、延長持ち手部１４ｄの先端には雄螺子部が形成されており、上記本体部１４ｃに上記延長持ち手部１４ｄを螺合によって着脱することができる。
【００２８】
上記の構成であれば、テープ貼り工具１は、上記前方ローラー１２および上記後方ローラー１３を備えたので、テープ貼りの直進性に優れたものとなる。また、図４に示すように、上記巻回養生テープ２から引き出したテープ２ａを上記後方ローラー１３によって下方に押し付けることができるので、上記後方ローラー１３の直ぐ後ろの箇所で、テープ２ａの貼り付け状態の確認が直ぐに行えるようになる。
【００２９】
上記持ち手部１４が上記本体部１１の後ろ側となる位置に連結されていると、上記持ち手部１４を上記前方ローラー１２の近くに連結させる場合に比べて、上記後方ローラー１３を下方に押す力が得易くなる。特に、上記棒状部１４ａが上記後方ローラー１３の回転用軸１３ａ内に挿入される構造であると、上記後方ローラー１３を下方に押す力を上記持ち手部１４で直接的に生じさせることができるので、上記テープ２ａを強く下方に押し付けることが容易になる。
【００３０】
上記持ち手部１４に上記延長持ち手部１４ｄが取り付けられる構造であると、当該テープ貼り工具１を用いる態様に応じて作業者に負担のない姿勢を採らせることが可能になる。
【００３１】
上記巻回養生テープ２が、上記前方ローラー１２と上記後方ローラー１３の間の位置に設けられていると、当該テープ貼り工具１の操作状態において、上記後方ローラー１３によるテープ２ａの貼り付け状態が確認し易いとともに、当該テープ貼り工具１の進行方向確認も行い易くなる。
【００３２】
上記前方ローラー１２に、上記マーク部１２ｂが設けられていると、貼られるテープ２ａの中心を示すものとして例えば舗装路面上に引かれたラインに上記マーク部１２ｂを合わせながら上記本体部１１を移動させることにより、的確にテープ２ａを貼り付けていくことができるようになる。なお、上記マーク部１２ｂは凹溝状部に限らず、色等による目印であってもよいものである。
【００３３】
上記ガイド部材１５を備えると、既設の構造部材に沿わせてテープ２ａを貼ることが容易になる。
【００３４】
テープとして養生用のテープ２を示したが、これに限るものではなく、例えば、マスカーテープ等を用いることも可能である。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３６】
１          ：テープ貼り工具
２          ：巻回養生テープ（巻回テープ）
２ａ        ：テープ
１０        ：保持部
１０ａ      ：突出軸部
１１        ：本体部
１１ａ      ：側板
１１ｂ      ：係合部
１２        ：前方ローラー
１２ａ      ：回転用軸
１２ｂ      ：マーク部
１３        ：後方ローラー
１３ａ      ：回転用軸
１４        ：持ち手部
１４ａ      ：棒状部
１４ｂ      ：曲げ軸部
１４ｃ      ：本体部
１４ｄ      ：延長持ち手部
１５        ：ガイド部材
【図１】
2018052677.tif 000003
【図２】
2018052677.tif 000004
【図３】
2018052677.tif 000005
【図４】
2018052677.tif 000006